【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
撮影に関する特定の設定を自動で行う第一の設定モードと、ユーザの第一の操作部材への操作量に基づいて前記特定の設定を行う第二の設定モードとを切り替える撮影制御装置であって、
撮影に関する準備を行う撮影準備指示を受け付ける受付手段と、
ユーザの操作に応じて前記第一の設定モードから前記第二の設定モードへと切り替えるように制御する制御手段であって、
前記受付手段が前記撮影準備指示を受け付ける前に、ユーザの操作により前記第一の設定モードから前記第二の設定モードに切り換わった場合には、前記受付手段が前記撮影準備指示を受け付けた状態から解除されても前記第二の設定モードから前記第一の設定モードへ切り替えず、
前記受付手段が前記撮影準備指示を受け付けている状態で、ユーザの操作により前記第一の設定モードから前記第二の設定モードへ切り換わった場合には、前記受付手段が前記撮影準備指示を受け付けた状態から解除されたことに応じて前記第二の設定モードから前記第一の設定モードへ切り替えるように制御する制御手段とを有することを特徴とする撮影制御装置。
【請求項２】
前記制御手段は、前記撮影準備指示を受け付ける前であっても、前記撮影準備指示を受け付けている状態であっても特定の操作に応じて、前記第一の設定モードから前記第二の設定モードへ切り換えるように制御することを特徴とする請求項１に記載の撮影制御装置。
【請求項３】
前記特定の操作は、前記第一の操作部材への操作であることを特徴とする請求項２に記載の撮影制御装置。
【請求項４】
前記特定の設定は、フォーカスの設定であることを特徴とする請求項１乃至３の何れか１項に記載の撮影制御装置。
【請求項５】
前記特定の設定は、シャッタースピード、絞り、ＩＳＯ感度のいずれかの設定であることを特徴とする請求項１乃至３の何れか１項に記載の撮影制御装置。
【請求項６】
前記制御手段は、前記第一の設定モードに切り替えられている場合に、前記撮影準備指示がされたことに応じて前記特定の設定を前記第一の設定モードで行うように制御することを特徴とする請求項１乃至５の何れか１項に記載の撮影制御装置。
【請求項７】
前記撮影準備指示は、前記第一の操作部材とは別に設けられるシャッターボタンの押下が完了するまでの途中である所定の押下状態になると行われることを特徴とする請求項１乃至６の何れか１項に記載の撮影制御装置。
【請求項８】
撮影指示は、前記シャッターボタンの押下が完了したことに応じて行われ、
前記制御手段は、前記第一の設定モードに切り替えられている場合に、前記撮影指示がされた後に、前記所定の押下状態になっても前記特定の設定を前記第一の設定モードで行わないように制御することを特徴とする請求項７に記載の撮影制御装置。
【請求項９】
前記制御手段は、前記第一の設定モードから前記第二の設定モードへ切り換えられたことに応じて、前記第二の設定モードに切り替えられたことを示すガイドを表示するように制御することを特徴とする請求項１乃至８の何れか１項に記載の撮影制御装置。
【請求項１０】
前記制御手段は、前記撮影準備指示の前にユーザからの操作により、前記第一の設定モードから前記第二の設定モードへ切り換えられないまま、前記撮影準備指示がされたら、前記第二の設定モードへ、前記第一の操作部材への操作がされてから前記撮影準備指示がされなくなるまでの期間、切り替え可能であることを示すガイドを表示するように制御することを特徴とする請求項１乃至９の何れか１項に記載の撮影制御装置。
【請求項１１】
前記制御手段は、前記撮影準備指示の前にユーザの操作によって前記第一の設定モードから前記第二の設定モードに切り替えられた場合には、撮影準備指示が解除された後にユーザからの操作が行われたことに応じて前記第二の設定モードから前記第一の設定モードに切り替わるように制御することを特徴とする請求項１乃至１０の何れか１項に記載の撮影制御装置。
【請求項１２】
前記制御手段は、前記特定の設定の設定モードに関する第一の設定がされた場合には、前記撮影準備指示の前に前記第一の操作部材への操作に応じて前記第一の設定モードから前記第二の設定モードに切り替え、前記第一の設定がされなかった場合には、前記撮影準備指示前に前記第一の操作部材への操作がされても前記第一の設定モードから前記第二の設定モードに切り替えないように制御することを特徴とする請求項１乃至１１の何れか１項に記載の撮影制御装置。
【請求項１３】
前記制御手段は、前記特定の設定の設定モードに関する第二の設定が有効に設定されている場合には、前記第一の設定モードでの前記特定の設定をした後に、前記第一の操作部材への操作がされたこと応じて前記第二の設定モードでの前記特定の設定をし、前記第二の設定が無効に設定されている場合には、前記第一の設定モードでの前記特定の設定をした後に、前記第一の操作部材への操作がされても、前記第二のモードでの前記特定の設定をしないように制御することを特徴とする請求項１２に記載の撮影制御装置。
【請求項１４】
前記第一の設定がされ、かつ前記第二の設定が有効に設定されると、前記制御手段は、前記受付手段が前記撮影準備指示を受け付ける前に、ユーザの操作により前記第一の設定モードから前記第二の設定モードへ切り換わった場合には、前記受付手段が前記撮影準備指示を受け付けた状態から解除されても前記第二の設定モードから前記第一の設定モードへ切り替えず、
前記受付手段が前記撮影準備指示を受け付けている状態で、ユーザの操作により前記第一の設定モードから前記第二の設定モードへ切り換わった場合には、前記受付手段が前記撮影準備指示を受け付けた状態から解除されたことに応じて前記第二の設定モードから前記第一の設定モードへ切り替えるように制御することを特徴とする請求項１２または１３に記載の撮影制御装置。
【請求項１５】
前記制御手段は、前記第一の設定がされた場合には、撮影準備指示前にユーザからの操作により前記第二の設定モードでの前記特定の設定がされることを示すガイドを表示することを特徴とする請求項１２乃至１４の何れか１項に記載の撮影制御装置。
【請求項１６】
前記特定の設定の設定モードが前記第一の設定モードか、前記第二の設定モードかを記録する記録手段をさらに有し、
前記受付手段が前記撮影準備指示を受け付ける前に前記第一の設定モードから前記第二の設定モードに切り替えられた場合には、前記記録手段に記録する設定モードを前記第二の設定モードに切り替え、前記撮影準備指示を受け付ける前に前記第一の設定モードから前記第二の設定モードに切り替えられた場合には、前記記録手段に記録する設定モードを前記第二の設定モードに切り替えないように制御することを特徴とする請求項１乃至１５の何れか１項に記載の撮影制御装置。
【請求項１７】
前記第一の操作部材は回転部材であることを特徴とする請求項１乃至１６の何れか１項に記載の撮影制御装置。
【請求項１８】
撮影に関する特定の設定を自動で行う第一の設定モードと、ユーザの第一の操作部材への操作量に基づいて前記特定の設定を行う第二の設定モードとを切り替える撮影制御装置の制御方法であって、
撮影に関する準備を行う撮影準備指示を受け付ける受付ステップと、
ユーザの操作に応じて前記第一の設定モードから前記第二の設定モードへと切り替えるように制御する制御ステップであって、
前記受付ステップにおいて前記撮影準備指示を受け付ける前に、ユーザの操作により前記第一の設定モードから前記第二の設定モードに切り換わった場合には、前記受付ステップにおいて前記撮影準備指示を受け付けた状態から解除されても前記第二の設定モードから前記第一の設定モードへ切り替えず、
前記受付ステップにおいて前記撮影準備指示を受け付けている状態で、ユーザの操作により前記第一の設定モードから前記第二の設定モードへ切り換わった場合には、前記受付ステップにおいて前記撮影準備指示を受け付けた状態から解除されたことに応じて前記第二の設定モードから前記第一の設定モードへ切り替えるように制御する制御ステップとを有することを特徴とする撮影制御装置の制御方法。
【請求項１９】
コンピュータを、請求項１乃至１７のいずれか１項に記載された撮影制御装置の各手段として機能させるためのプログラム。
【請求項２０】
コンピュータを、請求項１乃至１７のいずれか１項に記載された撮影制御装置の各手段として機能させるためのプログラムを格納したコンピュータが読み取り可能な記録媒体。
【手続補正２】
【補正対象書類名】明細書
【補正対象項目名】０００３
【補正方法】変更
【補正の内容】
【０００３】
【特許文献１】特開２０１１−３９２０６号公報
【特許文献２】特開２００３−３３７２７８号公報
【手続補正３】
【補正対象書類名】明細書
【補正対象項目名】０００６
【補正方法】変更
【補正の内容】
【０００６】
上記目的を達成するために、本発明の撮影制御装置は、撮影に関する特定の設定を自動で行う第一の設定モードと、ユーザの第一の操作部材への操作量に基づいて前記特定の設定を行う第二の設定モードとを切り替える撮影制御装置であって、撮影に関する準備を行う撮影準備指示を受け付ける受付手段と、ユーザの操作に応じて前記第一の設定モードから前記第二の設定モードへと切り替えるように制御する制御手段であって、前記受付手段が前記撮影準備指示を受け付ける前に、ユーザの操作により前記第一の設定モードから前記第二の設定モードに切り換わった場合には、前記受付手段が前記撮影準備指示を受け付けた状態から解除されても前記第二の設定モードから前記第一の設定モードへ切り替えず、前記受付手段が前記撮影準備指示を受け付けている状態で、ユーザの操作により前記第一の設定モードから前記第二の設定モードへ切り換わった場合には、前記受付手段が前記撮影準備指示を受け付けた状態から解除されたことに応じて前記第二の設定モードから前記第一の設定モードへ切り替えるように制御する制御手段とを有することを特徴とする。